(57)【要約】      （修正有）【課題】安全用具としての機能とともに，室内装飾品としての機能も併せもつドア事故防止用具を提供する。【解決手段】ドア事故防止用具は，２つの用具から構成されている。用具１は，ドアクッションとして機能する。用具２は，ドアクッション又はドアストッパーとして機能する。また，用具１と用具２を組み合わせると，ドアクッションの機能を備えた室内装飾品として使用できる。用具２は，取付対象ドアを挟み込むための押さえ部１１と１２，ドアストッパーとして機能させる場合のため，ドア下部と床との間に差し込むための差し込み部１３，装飾品としての装飾部１４から構成されている。用具１は，取付対象ドアを挟み込むための押さえ部２１と２２，押さえ部とつながる胴部２３から構成されている。【選択図】図２
0003198762.tif 000002
【実用新案登録請求の範囲】
【請求項１】
ドアの縁部に取り付けることにより，該ドアがはめ込まれる枠部と干渉して，該ドアが閉まることを阻止するドア事故防止用具であって，一対の押さえ部と，該一対の押さえ部とつながる胴部とからなる用具を複数備え，前記用具の押さえ部は，それぞれドアの縁部又は前記胴部に取付け可能に構成されていることを特徴とするドア事故防止用具
【請求項２】
ドアの縁部に取付けられる第１の用具と，第１の用具に取り付けられる第２の用具とからなり，第１の用具と第２の用具は角度を異にして取付けられていることを特徴とする請求項１記載のドア事故防止用具
【請求項３】
複数の用具のうち少なくとも１つの用具は，床面とドア下部との間に差し込み可能に構成された差し込み部を備えることを特徴とする請求項１または請求項２記載のドア事故防止用具
【請求項４】
複数の用具のうち少なくとも１つの用具は，装飾が施されていることを特徴とする請求項１ないし請求項３記載のドア事故防止用具
【請求項５】
前記用具は弾力性あるクッション素材からなることを特徴とする請求項１ないし４記載のドア事故防止用具
【請求項６】
ドアの縁部に取り付けることにより，該ドアがはめ込まれる枠部と干渉して，該ドアが閉まることを阻止するドア事故防止用具であって，一対の押さえ部と，該一対の押さえ部とつながる胴部とからなり，ドアの縁部に取付可能な第１の用具と，一対の押さえ部と，該一対の押さえ部とつながる胴部と，床面とドア下部との間に差し込み可能に構成された差し込み部と，装飾部とからなり，ドアの縁部又は第１の用具に角度を異にして取付可能な第２の用具を備えることを特徴とするドア事故防止用具
【請求項７】
ドアの縁部に取り付けることにより，該ドアがはめ込まれる枠部と干渉して，該ドアが閉まることを阻止するドア事故防止用具であって，一対の押さえ部と，該一対の押さえ部とつながる胴部とからなり，ドアの縁部に取付可能な第１の用具と，一対の押さえ部と，該一対の押さえ部とつながる胴部と，床面とドア下部との間に差し込み可能に構成された差し込み部と，装飾部とからなり，第１の用具に角度を異にして取付可能な第２の用具を備えることを特徴とするドア事故防止用具
【考案の詳細な説明】
【技術分野】
【０００１】  本考案は，指挟み事故防止のため，ドアに取り付ける安全用具に関する。
【背景技術】
【０００２】  従来より，ドアを閉める際に子どもなどが指を挟まないようにする目的で，ドアが完全には閉まらないように，ドアに取り付けることによって，ドアと，ドアがはめ込まれる枠部に隙間を作る安全用具が知られている。【０００３】  例えば，特許文献１では，馬蹄形をしてドアの側縁又は上縁に挟みこんで使用するドアクッションが示されている。【０００４】  また，特許文献２では，ドアの縁部に取り付ける安全用具と，その用具に取り付けるための装飾部材が示されている。
【先行技術文献】
【特許文献１】特許公開平９−６０３８７号公報
【特許文献２】登録実用新案第３０１１２８０号公報
【考案の概要】
【考案が解決しようとする課題】
【０００５】  このような安全用具は，家庭内で使用することが多いため，室内装飾品としてのデザイン性が高いものを求めるニーズは高い。
しかし，従来品は，機能を優先するシンプルな形状であったり，デザイン性を高めたものであっても，用具単体で動物等をデザインするものであったり，用具単体に印刷を施すものであったため，用具をドアの縁部に取り付けた使用状態においては，正面からみたときにデザイン部分が視覚に入らないか，視覚に入る部分が少なく，室内装飾品としてのデザイン性に乏しいとの課題があった。【０００６】  一方で，特許文献２のように，装飾部材を取り付けることにより，室内装飾品として使用することを可能にしたアイデアが開示されているが，別途装飾部材を用意する必要がある。
また，装飾部材にも，装飾性だけではなく，機能性を求めるニーズが高いが，従来品においては，別途用意しなければならない装飾部材そのものは，単に装飾の役割のみを果たすもので機能部材ではなかったため，このニーズには対応できていなかった。【０００７】  本考案は，安全用具としての機能とともに，家庭内での装飾品としての機能をも併せもつドア事故防止用具を提供することにある。
【課題を解決するための手段】
【０００８】  上述の課題を解決するために，第一考案として，ドアの縁部に取り付けるドア事故防止のための用具を複数個備えたことを特徴とするドア事故防止用具。また，第二考案として，ドアの縁部に取り付けるドア事故防止のための用具と，ドアストッパーとしての機能を備え，同用具に取付可能に構成された用具を備えたことを特徴とするドア事故防止用具。さらに，第三考案として，ドアの縁部に取り付けるドア事故防止のための用具と，ドア事故防止のための用具としての機能とドアストッパーとしての機能を備え，同用具又はドアの縁部に取付可能に構成された用具を備えたことを特徴とするドア事故防止用具を提供する。
【考案の効果】
【０００９】  第一考案によれば，ドア事故防止のための用具を別々のドアに使用することも可能であるし，また，ドア事故防止のための用具同士を組み合わせることにより，ドアが完全に閉まるのを阻止することで指を挟むのを防止する安全用品としての機能を維持しつつ，追加の装飾部材を用意することなしに，複数の用具を組み合わせることで正面からみてもデザイン性に優れた室内装飾品として使用可能となる。【００１０】  第二考案によれば，ドア事故防止のための用具とドアストッパーを別々のドアに使用することも可能であるし，また，同じドアに使用することで，ドアストッパーが外れても，ドア事故防止のための用具によって，ドアが完全に閉まるのを阻止し，人が指を挟むのを防止することができる。さらに，人が指を挟むのを防ぐという安全用品としての機能を維持しつつ，追加の装飾部材を用意することなしに，複数の用具を組み合わせることで，正面から見てもデザイン性に優れた室内装飾品として使用可能となる。【００１１】  第三考案によれば，ドア事故防止のための用具と，ドア事故防止のための用具としての機能とドアストッパーの機能を併せ持つ用具を，別々のドアに使用することも可能であるし，また，同じドアに使用することで，ドアストッパーが外れても，ドア事故防止のための用具によって，ドアが完全に閉まるのを阻止し，人が指を挟むのを防止することができる。さらに，人が指を挟むのを防ぐという安全用品としての機能を維持しつつ，追加の装飾部材を用意することなしに，複数の用具を組み合わせることで正面からみてもデザイン性に優れた室内装飾品として使用可能となる。
【図面の簡単な説明】
【００１２】
【図１】２つの用具を組み合わせた概略外観斜視図である。
【図２】２つの用具の正面図である。
【図３】用具２の正面・側面図である。
【図４】用具２をドアストッパーとして，ドアの下部と床の間に差し込んだ状態図である。
【図５】動物をリスに代えた場合の別概略外観斜視図である。
【考案を実施するための形態】
【００１３】  本考案に係るドア事故防止用具の実施形態について，以下に図面に基づいて説明する。なお，本考案に係るドア事故防止用具の具体的な構成は，下記の実施形態に限られるものではなく，考案の要旨を逸脱しない範囲で変更可能である。
【００１４】  （１）ドア事故防止用具の概略構成
本実施形態に係るドア事故防止用具は，２つの用具から構成されている。用具１は，ドアクッションとして機能する。用具２は，ドアクッション又はドアストッパーとして機能する。また，用具１と用具２を組み合わせると，ドアクッションの機能を備えた室内装飾品として使用できるよう構成されている。
【００１５】  図１に，取付対象ドア３に，用具１と用具２を組み合わせて取り付けた場合の概略外観斜視図を示す。図２に用具１，用具２のそれぞれの形状を表す正面図を示す。図２では，用具１と用具２が平面上で組み合わされた図面になっているが，これは生産において材料を無駄にしないようにデザイン上考慮されていることを示している。実際は用具１と用具２は，それぞれ独立して使用可能である。
【００１６】  図３に，用具２の正面図と側面図を示す。図４に，用具２をドアストッパーとして，取付対象ドア３の下部と床の間に差し込んだ状態図を示す。図５は，デザインを別の動物にした場合の他の実施形態を示す。
【００１７】  用具２は，図２のように，取付対象ドア３を挟み込むための押さえ部１１と１２，ドアストッパーとして機能させる場合のため，ドア下部と床との間に差し込むための差し込み部１３，装飾品としての装飾部１４から構成されている。
【００１８】  用具１は，図２のように，取付対象ドア３を挟み込むための押さえ部２１と２２，押さえ部とつながる胴部２３から構成されている。
【００１９】  （２）ドア事故防止用具の使用方法
用具１は，押さえ部２１と２２により，取付対象ドアの側縁部分，あるいは，上縁部分に取り付けることにより，ドアを閉めようとすると用具１がドアをはめ込む枠部と干渉し，ドアとドアをはめ込む枠部の間に隙間が作られることで，ドアが完全に閉まらなくなり，子供などがドアとドアの枠部により指を挟まれることを防ぐことが可能となる。
【００２０】  用具２は，押さえ部１１と１２により，取付対象ドア３の側縁部分，あるいは，上縁部分に取り付けることにより，ドアを閉めようとすると，用具２がドアをはめ込む枠部と干渉し，ドアとドアをはめ込む枠部の間に隙間が作られることで，ドアが完全に閉まらなくなり，子供などがドアとドアの枠部により指を挟まれることを防ぐことが可能となる。
【００２１】  また，図４のように，用具２の差し込み部１３を取付対象ドア３と床の間に差し込むことにより，差し込み部１３と床との摩擦により，取付対象ドアが固定される。これにより，ドアを任意の位置で固定することが可能になる。
【００２２】  次に，用具１に用具２を組み合わせて取り付け，装飾品として使用する場合は，用具２の押さえ部１１と１２により，用具１の胴部２３を，略垂直に挟んだ状態で取り付ける。これにより，ドア事故防止用具としての機能を維持しつつ，正面から見てもデザイン性に優れた室内装飾品として使用することが可能となる。
【００２３】  また，本実施形態では，用具１と用具２を略垂直で取り付けた事例を示したが，取り付ける角度は，装飾品のデザインにより，他の角度で取り付けることも可能である。
【００２４】  なお，用具２の両押さえ部が構成する溝１５は，両押さえ部１１，１２間の距離がＢ２，溝の距離がＢ３で設計されており，Ｂ２は取付対象ドア３の厚みと，用具２の厚みＢ１に対応できるように，また，Ｂ３はＢ４より短くなるように考慮されて設計されている。これにより，用具２の押さえ部１１，１２が同部２３をしっかりホールドできるようになっている。
【００２５】  その結果，図１のように，用具１が取付対象ドア３に取付けられることにより，ドアクッションの機能を果たし，さらに，用具２が用具１に取り付けられることによりデザイン性に優れた室内装飾品としての用途を実現できる。
【００２６】  本実施例では，ドアクッションとしての機能とドアストッパーとしての機能を併せ持った用具と，ドアクッションとして機能する用具を組み合わせる概略構成，使用方法を説明したが，これは，前者の用具が，ドアクッションとしての機能だけを持った用具でも，ドアストッパーとしての機能だけを持った用具でも同じであり，複数の用具を組み合わせることにより，本来の安全用品としての機能を維持しつつ，追加の装飾部材を用意することなしに，正面から見てもデザイン性に優れた室内装飾品として使用可能となる。
【００２７】  用具２の装飾部１４を任意のデザインまたは色に変更し，用具１も同じ色に変更することにより，様々なデザインで構成することが可能になるが，機能的な部分，また，使用方法は同じである。
【００２８】  本事例では，２つの用具を組み合わせる構成を説明したが，組み合わせる用具は２つに限られるものではない。３つ以上の用具を，それぞれ別のドアの縁部に取り付けることも可能であるし，例えば，ドアの縁部に３つの用具のうち２つを組み合わせて取り付け，３つの用具のうち１つをドアの下部と床面の間に差し込みストッパーとして用いる，といった構成も考えられる。
【符号の説明】
【００２９】    １  用具１
２  用具２
３  取付対象ドア
１１，１２  用具２の押さえ部
１３  用具２の差し込み部
１４  用具２の装飾部
１５  用具２の押さえ部が構成する溝
２１，２２  用具１の押さえ部
２３  用具１の胴部
Ｂ１  用具１の厚さ
Ｂ２  用具２の押さえ部間の距離
Ｂ３  用具２の両押さえ部が構成する溝の距離
Ｂ４  用具１の胴部の巾
【図１】
0003198762.tif 000003
【図２】
0003198762.tif 000004
【図３】
0003198762.tif 000005
【図４】
0003198762.tif 000006
【図５】
0003198762.tif 000007